(57)【要約】  表面が傾いたインパネに本体部が取り付けられた際に、予め定められた力が作用すると、脆弱部が破断して、操作ノブが本体部からの突出量が予め定められた以下まで確実に没することを可能とする操作ノブの支持構造を提供する。  ＡＶ機器１はケース２と支持構造１２を備えている。支持構造１２は操作ノブ１５と支持部２１と脆弱部２２を備えている。支持部２１は操作ノブ１５を支持している。脆弱部２２は操作ノブ１５がケースの前面２ａに向かって押圧される力Ｆが予め定められた所定の力を超えると破断する。操作ノブ１５には脆弱部２２が破断すると支持部２１の印刷配線板３６の表面３６ａに端面２６ａが密に重なって操作ノブ１５が傾くことを規制する傾き規制部２６が設けられている。
2009084115.tif 000002
【特許請求の範囲】
【請求項１】
鉛直方向に対して傾いて配置される本体部の外表面から突出しかつ当該本体部に対して変位自在に設けられた操作ノブと、
前記操作ノブを支持する支持部材と、
前記支持部材を設置した設置部材と、
前記操作ノブが前記外表面に向かって水平方向に押圧される力が予め定められた所定の力を超えると破断して前記操作ノブが前記本体部の外表面に没することを許容する脆弱部と、
前記脆弱部が破断した際に前記設置部材に当接して前記操作ノブの傾きを規制する傾き規制部と、
を備えたことを特徴とする操作ノブの支持構造。
【請求項２】
前記設置部材が、前記本体部の外表面と平行な平坦面を備え、かつ、
前記傾き規制部が、前記平坦面と平行でかつ前記脆弱部が破断すると当該平坦面上に密に重なる第２平坦面を備えていることを特徴とする請求項１記載の操作ノブの支持構造。
【請求項３】
前記支持部材が、スイッチ本体と、当該スイッチ本体から突没自在に設けられた操作軸と、を有したスイッチであり、
前記操作ノブが、前記操作軸の外周に取り付けられる取付部材と、前記取付部材の外周に取り付けられて前記本体部外に露出するとともに当該取付部材との間に前記脆弱部を設けた露出部材と、を備えたことを特徴とする請求項１又は請求項２記載の操作ノブの支持構造。
【請求項４】
前記取付部材が、前記露出部材の内周面に係止する係止部を備えたことを特徴とする請求項３記載の操作ノブの支持構造。
【請求項５】
外表面が鉛直方向に対して傾いて配置され、かつ変位自在な操作ノブを前記外表面から突出して設けた本体部を備えた電子機器において、
前記操作ノブの支持構造として、請求項１乃至請求項４のうちいずれか一項に記載の操作ノブの支持構造を備えたことを特徴とする電子機器。
【発明の詳細な説明】
【技術分野】
【０００１】
本発明は、例えば、ＡＶ機器などの各種の電子機器などの操作ノブの支持構造及び該操作ノブの支持構造を備えた電子機器に関する。
【背景技術】
【０００２】
例えば、自動車に搭載され、かつＣＤ（Compact Disk）などの光ディスクに記録された情報を読み出して再生するＡＶ機器などの電子機器には、欧州内突規制ＥＣＥ  Ｎｏ．２１内装部品の車両許可に関する統一規制に準拠することが求められている。【０００３】
この規制は、自動車のインストルメントパネル（以下、インパネと呼ぶ）の表面や当該インパネに取り付けられる電子機器の本体部としての機器本体の前面（外表面に相当）からのスイッチなどの操作ノブの突出量が９．５ｍｍなどの予め定められた値以下であるか、前記操作ノブに対して自動車の前後方向（水平方向）に沿いかつ当該操作ノブを前述した表面や前面に対して押圧する例えば３８２Ｎなどの予め定められた力が作用した場合に、操作ノブが前記表面や前面に没する方向に変位して、当該操作ノブの前記表面や前面からの突出量が前述した９．５ｍｍなどの予め定められた値以下となることが求められている。【０００４】
前述した規制を満足するために、従来から種々の操作ノブの支持構造１００（図１に示し、例えば、特許文献１参照）が用いられてきた。図１に例示された操作ノブの支持構造１００は、前述した電子機器の機器本体１０１に対して操作ノブ１０２を変位自在に支持する支持部１０３と、脆弱部１０４とを備えている。操作ノブ１０２は、ノブ本体１０５と、化粧板１０６とを備えている。【０００５】
ノブ本体１０５は、それぞれが円筒状に形成されかつ互いに同軸に設けられた内筒１１２と外筒１１３とこれらの筒１１２，１１３同士を連結した円環状の連結部１１４とを一体に備えている。化粧板１０６は、円板状に設けられ、外筒１１３の機器本体１０１外に露出する側の端に取り付けられている。化粧板１０６は、内筒１１２の端と間隔をあけている。また、電子機器は、前述したインパネに取り付けられると、機器本体１０１の前面１０１ａがインパネの表面と平行になる。【０００６】
支持部１０３は、前記機器本体１０１内に収容されかつ当該機器本体１０１の前面１０１ａと平行に固定された印刷配線板１０７と、当該印刷配線板１０７に実装されたスイッチ装置１０８とを備えている。スイッチ装置１０８は、印刷配線板１０７に固定されたスイッチ本体１０９と、このスイッチ本体１０９から突出しかつこのスイッチ本体１０９に対して回転する方向や突没する方向に変位自在に設けられた操作軸１１０とを備えている。操作軸１１０は、円柱状に形成され、前述した内筒１１２内に圧入されて、操作ノブ１０２が取り付けられている。このため、操作ノブ１０２は、操作軸１１０によりその軸芯回りに回転する方向や前面１０１ａに対して突没する方向に変位自在即ち機器本体１０１に対して変位自在となっている。また、操作ノブ１０２は、機器本体１０１の前面１０１ａに対して直交した格好となる。【０００７】
脆弱部１０４は、操作ノブ１０２の化粧板１０６から間隔をあけ、かつ内筒１１２の化粧板１０６寄りの端から内周方向に突出した突部１１１を備えている。脆弱部１０４は、操作ノブ１０２に対して、前述した水平方向の予め定められた力が作用すると、突部１１１と内筒１１２の内周面との間が破断することで、操作ノブ１０２の機器本体１０１の前面１０１ａからの突出量を前述した予め定められた値以下とするようになっている。
【特許文献１】特開２００６−２１０２８８号公報
【発明の開示】
【発明が解決しようとする課題】
【０００８】
前述した自動車のインパネは、当該自動車のデザイン上の多種多様性により、前記表面が鉛直方向と平行ではなく、上方に向かうにしたがって自動車の前方に向かう方向に傾斜していることが多い。このように表面が傾斜したインパネに電子機器を取り付けると、勿論、電子機器の機器本体１０１の前面１０１ａも、前述したインパネの表面と平行になって傾いてしまう。すると、勿論、スイッチ装置１０８の操作軸１１０の長手方向も、自動車の前後方向（水平方向）に対して傾いてしまう。【０００９】
このため、前述した方向の力を操作ノブ１０２に加えると、まず、操作軸１１０がスイッチ本体１０９に没した後に、図２に示すように、操作ノブ１０２の化粧板１０６の外表面が鉛直方向と平行になる方向に、当該操作ノブ１０２がスイッチ装置１０９に対して回転してしまう。この場合、脆弱部１０４に突部１１１が破断しても、特に、操作ノブ１０２の上端の前面１０１ａからの突出量が予め定められた値を越えてしまい、前述した規制を満足することができないことが考えられる。【００１０】
したがって、本発明の目的は、例えば、表面が傾いたインパネに本体部が取り付けられた際に、予め定められた力が作用すると、脆弱部が破断して、操作ノブが本体部からの突出量が予め定められた以下まで確実に没することを可能とする操作ノブの支持構造及び該操作ノブの支持構造を備えた電子機器を提供することにある。
【課題を解決するための手段】
【００１１】
前述した課題を解決し目的を達成するために、請求項１に記載の本発明の操作ノブの支持構造は、鉛直方向に対して傾いて配置される本体部の外表面から突出しかつ当該本体部に対して変位自在に設けられた操作ノブと、前記操作ノブを支持する支持部材と、前記支持部材を設置した設置部材と、前記操作ノブが前記外表面に向かって水平方向に押圧される力が予め定められた所定の力を超えると破断して前記操作ノブが前記本体部の外表面に没することを許容する脆弱部と、前記脆弱部が破断した際に前記設置部材に当接して前記操作ノブの傾きを規制する傾き規制部と、を備えたことを特徴としている。
【図面の簡単な説明】
【００１２】
【図１】従来の操作ノブの支持構造の断面図である。
【図２】図１に示された操作ノブに水平方向の押圧する力が作用した状態を示す断面図である。
【図３】本発明の一実施例にかかる操作ノブの支持構造を備えたＡＶ機器を示す斜視図である。
【図４】図３に示された操作ノブの支持構造の断面図である。
【図５】図４に示された操作ノブに水平方向の押圧する力が作用した状態を示す断面図である。
【図６】図５に示された操作ノブの支持構造の脆弱部が破断した状態を示す断面図である。
【符号の説明】
【００１３】
１  ＡＶ機器（電子機器）
２  ケース（本体部）
２ａ  前面（外表面）
１２  操作ノブの支持構造
１５  操作ノブ
２２  脆弱部
２３  取付部材
２４  露出部材
２６  傾き規制部
２６ａ  端面（第２平坦面）
２７  係止部
３６  印刷配線板（設置部材）
３６ａ  表面（平坦面）
３７  スイッチ（支持部材）
３９  スイッチ本体
４０  操作軸
Ｆ  押圧される力
【発明を実施するための最良の形態】
【００１４】
以下、本発明の一実施形態を説明する。本発明の一実施形態にかかる操作ノブの支持構造は、脆弱部が破断すると設置部材に当接して操作ノブが傾くことを規制する傾き規制部を設けているので、脆弱部が破断すると、傾き規制部が設置部材に確実に当接して、操作ノブが傾かなくなる。したがって、予め定められた所定の力が操作ノブに作用すると確実に脆弱部が破断することになり、操作ノブが本体部から突出量が予め定められた値以下となるまで確実に本体部に対して没することになる。【００１５】
また、本発明では、傾き規制部が、設置部材の平坦面に密に重なる第２平坦面を備えていても良い。この場合、脆弱部が破断すると、平坦面と第２平坦面とが互いに密に重なるので、操作ノブが確実に傾くことを防止できる。【００１６】
さらに、操作ノブが、支持部材としてのスイッチの操作軸の外周に取り付けられる取付部材と、取付部材に外周に取り付けられるとともに当該取付部材との間に脆弱部を設けた露出部材を備えても良い。このため、水平方向に沿いかつ外表面に向かう力が操作ノブの露出部材に作用して、当該露出部材が脆弱部を中心として傾こうとしても、この脆弱部と取付部材との間が大径となって露出部材を安定して保持するので、当該露出部材が傾くことを防止できる。したがって、露出部材即ち操作ノブが、本体部に対してより傾かなくなる。【００１７】
また、取付部材が露出部材の内周面に係止する係止部を備えても良い。この場合、水平方向に沿いかつ外表面に向かう力が作用した操作ノブの露出部材が回転しないように係止部を介して取付部材が当該露出部材を支持することとなる。【００１８】
さらに、本発明では、前述した操作ノブの支持構造を備えた電子機器としても良い。この場合、電子機器は、前述した操作ノブの支持構造を備えているので、脆弱部が、予め定められた所定の力が操作ノブに作用すると確実に破断することになり、操作ノブが本体部から突出量が予め定められた値以下となるまで確実に本体部に対して没することになる。
【実施例】
【００１９】
本発明の一実施例を、図３ないし図６に基づいて説明する。本発明の一実施例に係る電子機器としてのＡＶ（Audio-Visual）機器１は、移動体としての自動車のインストルメントパネル（図３中に二点鎖線で示し、以下、インパネと呼ぶ）Ｐなどに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。また、インパネＰの表面Ｐａは、上方に向かうにしたがって前記自動車の前方に向かうように、鉛直方向に対して傾いている。【００２０】
ＡＶ機器１は、図３に示すように、本体部としてのケース２と、再生装置としてのＣＤ（Compact Disc）プレーヤ３と、再生装置としてのＭＤ（Mini disc）プレーヤ４と、ラジオ放送を受信するＡＭ／ＦＭチューナ５と、表示部６と、操作部７とを備えている。【００２１】
ケース２は、合成樹脂で構成されたフロントパネル１８ａと、板金で構成されたケース本体１８ｂとを備えて、箱状に形成されている。ケース２は、ケース本体１８ｂの図３中手前側にフロントパネル１８ａが取り付けられた状態で、前述したインパネＰに取り付けられる。ケース２は、ケース本体１８ｂが前述したインパネＰに取り付けられて、フロントパネル１８ａが外部に露出しかつ乗員（使用者ともいう）に相対する。ケース２の図１中手前側に位置するフロントパネル１８ａの露出する外表面としての前面２ａは、ケース２がインパネＰに取り付けられると、当該インパネＰの表面Ｐａと平行になる。このため、前面２ａは、鉛直方向との角度が予め定められた状態で、当該鉛直方向に対して傾いて配置される。【００２２】
また、フロントパネル１８ａの前面２ａには、ＣＤ用挿入口８と、ＭＤ用挿入口９と、操作部用孔１３とが開口している。【００２３】
ＣＤ用挿入口８は、内側にＣＤを通して、該ＣＤをケース２即ちＣＤプレーヤ３に出し入れする。ＭＤ用挿入口９は、内側にＭＤを通して、該ＭＤをケース２即ちＭＤプレーヤ４に出し入れする。操作部用孔１３は、前記フロントパネル１８ａを貫通している。操作部用孔１３即ちフロントパネル１８ａは、操作部７の後述する操作ボタン１１を収容するとともに、前記前面２ａに対して直交する奥行き方向Ｙに沿って、当該操作ボタン１１を移動自在に支持する。【００２４】
また、ケース２には、図４に示すように、孔１４と、構造固定部１６とが設けられている。孔１４は、前面２ａに開口し、かつ平面形状が丸形に形成されている。構造固定部１６は、内側筒部１９と、支持柱２０とを備えている。内側筒部１９は、円筒状に形成されかつ孔１４の内縁部からケース２の内側に向かって立設している。【００２５】
支持柱２０は、内側筒部１９の外側でかつ当該内側筒部１９の図４中の上方と下方とのそれぞれに設けられているとともに、前面２ａからケース２の内側に向かって立設している。支持柱２０の前面２ａから離れた側の先端部には、後述する印刷配線板３６が固定される。【００２６】
ＣＤプレーヤ３は、ケース２に挿入されたＣＤの情報を読み出して、音声として出力する。ＭＤプレーヤ４は、ケース２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する操作ボタン１１等を使用者が押圧することによって動作する。【００２７】
表示部６は、前述したフロントパネル１８ａの前面２ａから露出しかつ当該フロントパネル１８ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。【００２８】
操作部７は、複数の操作ボタン１１と、一つの操作ノブの支持構造（以下、単に支持構造と記し、図４乃至図６に示す）１２などを備えている。操作ボタン１１は、操作部用孔１３内に収容され、前記前面２ａに対して直交する方向に沿ってスライド自在に取り付けられたボタン本体と、ケース２内に設けられた図示しない印刷配線板に実装されたスイッチとを備えている。スイッチは、ボタン本体を前面２ａから突出する方向に付勢している。操作ボタン１１は、スイッチの付勢力に抗して、押圧操作されることで、前述したプレーヤ３，４及びチューナ５などを動作させる。【００２９】
支持構造１２は、図４に示すように、前述したＡＶ機器１のケース２に対して変位自在に設けられた操作ノブ１５と、当該操作ノブ１５を変位自在に支持する支持部２１と、脆弱部２２と、を備えている。【００３０】
操作ノブ１５は、図４に示すように、取付部材２３と、露出部材２４とを備えている。取付部材２３は、円筒状（即ち筒状）の部材本体２５と、傾き規制部２６と、係止部２７とを一体に備えている。【００３１】
部材本体２５は、その内径が後述するスイッチ３７の操作軸４０の先端部の外径と略等しく形成されている。部材本体２５は、操作軸４０の先端部の外周に嵌合するなどして、当該操作軸４０の外周に取り付けられる。【００３２】
傾き規制部２６は、部材本体２５の後述する印刷配線板３６側の端（ケース２の奥寄りの端）から当該印刷配線板３６に向かって延在している。図示例では、傾き規制部２６は、部材本体２５の全周に亘って設けられている。即ち、傾き規制部２６は、円筒状に形成されている。また、傾き規制部２６の印刷配線板３６と相対する端面２６ａは、平坦に形成され、かつスイッチ３７の操作軸４０が後述するスイッチ本体３９から突出した状態で印刷配線板３６の表面３６ａから間隔をあけかつ平行に形成されている。【００３３】
なお、この操作軸４０がスイッチ本体３９から突出した状態における端面２６ａと印刷配線板３６の表面３６ａとの間隔は、スイッチ３７の操作軸４０がスイッチ本体３９から突没することを許容するとともに、脆弱部２２の後述する突部４１が破断した際に印刷配線板３６の表面３６ａに密に重なることができる間隔となっている。即ち、端面２６ａは、印刷配線板３６の表面３６ａに近接に配置されている。なお、この端面２６ａは、請求の範囲に記載された第２平坦面をなしている。【００３４】
係止部２７は、傾き規制部２６の端面２６ａ寄りの先端からケース２の前面２ａ即ち印刷配線板３６から離れる方向に延在した係止部本体２８と、当該係止部本体２８の前面２ａ寄りの先端部に設けられた係止爪２９とを一体に備えている。【００３５】
係止部本体２８は、傾き規制部２６の先端の全周に連なっている。即ち、係止部本体２８は、円筒状に形成されている。係止部本体２８は、傾き規制部２６からケース２の前面２ａに向かうにしたがって外周方向に延在している。係止爪２９は、係止部本体２８の前記先端部から内側筒部１９に向かって即ち外周方向に突に形成されて、露出部材２４の後述する係止爪３４と互いに係止する。即ち、係止部２７は、係止爪２９が係止爪３４に係止することで、露出部材２４の内周面に係止する。【００３６】
露出部材２４は、有底筒状の部材本体３０と、内側支持筒３１とを一体に備えている。部材本体３０は、円板状の板部３２と、当該板部３２の外縁から立設した筒部３３とを一体に備えている。部材本体３０は、筒部３３の先端に当該筒部３３の内周面から突でかつ係止爪２９に係止する係止爪３４を設けている。【００３７】
また、係止部２７の係止爪２９は、操作ノブ１５の露出部材２４に自動車の前後方向（水平方向）に沿って前面２ａに向かって押圧される力Ｆ（図５中に矢印で示す）が作用して、脆弱部２２の突部４１の図４中下方に位置する部分を中心として、露出部材２４が回転しよう（傾こう）としても、係止爪２９との係止が解除されない強度を有して形成されている。【００３８】
内側支持筒３１は、円筒状に形成され、立設片３５を介して板部３２から立設している。内側支持筒３１は、板部３２と間隔をあけて設けられている。内側支持筒３１は、取付部材２３の部材本体２５の外周に嵌合するなどして、当該部材本体２５即ち取付部材２３に取り付けられる。【００３９】
支持部２１は、ケース２内に収容され、設置部材としての印刷配線板３６と、当該印刷配線板３６に実装（設置）された支持部材としてのスイッチ３７とを備えている。【００４０】
印刷配線板３６は、絶縁性の基板３８と、当該基板３８の表面上に形成された導体パターンとを備えている。印刷配線板３６は、その表面３６ａが前面２ａと平行な状態で、支持柱２０の先端に固定される。なお、印刷配線板３６の表面３６ａは、請求の範囲に記載された平坦面をなしている。【００４１】
スイッチ３７は、印刷配線板３６に固定されたスイッチ本体３９と、このスイッチ本体３９から突出しかつこのスイッチ本体３９に対して回転する方向及び突没する方向に変位自在に設けられた操作軸４０とを備えている。操作軸４０は、円柱状に形成され、前述した取付部材２３の部材本体２５内に圧入されて、操作ノブ１５が取り付けられている。こうして、スイッチ３７は、操作ノブ１５を支持している。操作ノブ１５は、操作軸４０によりその軸芯回りに回転する方向と前面２ａに対して突没する方向に変位自在即ちケース２に対して変位自在に設けられているとともに、勿論、前面２ａから突出している。なお、操作ノブ１５の前面２ａからの突出量は、欧州内突規制ＥＣＥ  Ｎｏ．２１内装部品の車両許可に関する統一規制で定められた９．５ｍｍなどの予め定められた値よりも十分に大きな値となっている。さらに、操作ノブ１５の板部３２は、前記前面２ａなどと平行に配置されている。【００４２】
脆弱部２２は、操作ノブ１５の露出部材２４の板部３２から間隔をあけ、内側支持筒３１の内周面から突出した突部４１を備えて、図示例では、操作ノブ１５の露出部材２４に一体に設けられている。突部４１は、取付部材２３の部材本体２５の先端面上に重ねられる。このように、突部４１が内側支持筒３１の内周面から突出して設けられて取付部材２３の部材本体２５の先端面上に重ねられることを、本発明では、脆弱部２２が、取付部材２３と露出部材２４との間に設けられているという。脆弱部２２は、操作ノブ１５に対して、自動車の前後方向（水平方向）に沿って前面２ａに向かって、予め定められた所定の力を超えた力（図５中に矢印Ｆで示す）が作用すると、突部４１と内側支持筒３１の内周面との間が破断する。そして、脆弱部２２は、傾き規制部２６の端面２６ａが印刷配線板３６の表面３６ａに密に重なり、取付部材２３が露出部材２４の板部３２に近接して、操作ノブ１５のケース２の前面２ａからの突出量を前述した予め定められた値以下となる位置まで、当該操作ノブ１５が孔１４即ちフロントパネル１８ａの前面２ａに没することを許容する。このように、脆弱部２２は、突部４１が破断することで、操作ノブ１５が孔１４内即ちフロントパネル１８ａの前面２ａに没することを許容する。【００４３】
前述した支持構造１２は、スイッチ３７を実装した印刷配線板３６が支持柱２０に取り付けられて、組み立てられる。そして、操作ノブ１５が、スイッチ３７の操作軸４０に取り付けられる。すると、印刷配線板３６の表面３６ａがフロントパネル１８ａの前面２ａと平行になるとともに、スイッチ３７の操作軸４０の長手方向が前面２ａに対して直交した状態に配置されている。なお、このとき、脆弱部２２の突部４１が取付部材２３の部材本体２５の先端面に重なり、傾き規制部２６の端面２６ａが印刷配線板３６の表面３６ａと平行でかつ近接しながら間隔をあけて配置される。【００４４】
支持構造１２は、操作ノブ１５が押圧されると、この押圧されたことをスイッチ３７が検出して、ＡＶ機器１全体の電源をオン・オフし、操作ノブ１５が軸芯回りに回転されると、この回転されたことをスイッチ３７が検出して、再生中又は受信中のプログラムの音量を調整するために用いられる。【００４５】
そして、支持構造１２は、操作ノブ１５に、自動車の前後方向（水平方向）に沿って、当該操作ノブ１５をフロントパネル１８ａの前面２ａに向かって押圧される力Ｆ（図５中に矢印で示す）が作用すると、まず、図５に示すように、スイッチ３７の操作軸４０がスイッチ本体３９内に没する。そして、スイッチ３７の操作軸４０の先端部の外周に取付部材２３が嵌合し、かつ当該取付部材２３の外周に露出部材２４の内側支持筒３１が嵌合しているとともに、係止爪２９，３４が互いに係止しているので、露出部材２４即ち操作ノブ１５がケース２に対して傾くことなく、脆弱部２２の突部４１が内側支持筒３１の内周面から破断する。【００４６】
そして、前述した力Ｆによって、取付部材２３の部材本体２５の外周面と露出部材２４の内側支持筒３１の内周面により案内されて、露出部材２４が孔１４内即ち前面２ａに没する方向に移動して、端面２６ａが印刷配線板３６の表面３６ａに密に重なる。これらの端面２６ａと表面３６ａとが互いに密に重なると、露出部材２４が確実にケース２に対して傾くことなく、取付部材２３の部材本体２５の外周面と露出部材２４の内側支持筒３１の内周面により案内されて、露出部材２４が孔１４内即ち前面２ａに没する方向に移動する。こうして、即ち、傾き規制部２６は、支持部２１の印刷配線板３６に当接して、操作ノブ１５の回転を規制する。そして、図６に示すように、勿論、操作ノブ１５の前面２ａからの突出量Ｔが、前述した所定の値を下回る。【００４７】
本実施例によれば、脆弱部２２の突部４１が破断すると支持部２１の印刷配線板３６に当接して操作ノブ１５がケース２に対して傾くことを規制する傾き規制部２６を設けているので、脆弱部２２の突部４１が破断すると、傾き規制部２６が支持部２１に確実に当接して、操作ノブ１５が傾かなくなる。したがって、予め定められた所定の力が操作ノブ１５に作用すると確実に脆弱部２２が破断することになり、操作ノブ１５が部材本体３０から突出量が予め定められた値以下となるまで確実にケース２に没することになる。【００４８】
また、傾き規制部２６が、支持部２１の印刷配線板３６の表面３６ａに密に重なる第２平坦面としての端面２６ａを備えている。このため、脆弱部２２の突部４１が破断すると、印刷配線板３６の表面３６ａと傾き規制部２６の端面２６ａとが互いに密に重なるので、操作ノブ１５が確実に傾くことを防止できる。【００４９】
さらに、操作ノブ１５が、支持部２１のスイッチ３７の操作軸４０の外周に取り付けられる取付部材２３と、取付部材２３の外周に取り付けられるとともに当該取付部材２３との間に脆弱部２２を設けた露出部材２４とを備えている。このため、水平方向に沿いかつ前面２ａに向かう力Ｆが操作ノブ１５の露出部材２４に作用して、当該露出部材２４が脆弱部２２を中心として傾こうとしても、この脆弱部２２と取付部材２３との間が大径となって露出部材２４を安定して保持するので、当該露出部材２４が傾くことを防止できる。したがって、露出部材２４即ち操作ノブ１５が、ケース２に対してより傾かなくなる。【００５０】
また、取付部材２３が露出部材２４の内周面に係止する係止部２７を備えている。このため、水平方向に沿いかつ前面２ａに向かう力が作用した操作ノブ１５の露出部材２４が回転しないように係止部２７を介して取付部材２３が当該露出部材２４を支持することとなる。したがって、露出部材２４即ち操作ノブ１５が、ケース２に対してより一層傾かなくなる。【００５１】
さらに、ＡＶ機器１は、前述した操作ノブの支持構造１２を備えているので、予め定められた所定の力が操作ノブ１５に作用すると、脆弱部２２が確実に破断することになり、操作ノブ１５がフロントパネル１８ａから突出量Ｔが予め定められた値以下となるまで確実にフロントパネル１８ａに対して没することになる。【００５２】
前述した実施例では、操作ノブ１５を取付部材２３と露出部材２４とで構成している。しかしながら、本発明では、操作ノブ１５を一つの物品で構成しても良い。また、前述した実施例では、傾き規制部２６に印刷配線板３６の表面３６ａと平行な端面２６ａを形成している。しかしながら、本発明では、傾き規制部２６は、印刷配線板３６の表面３６ａなどの支持部２１の表面と平行な平坦面を備えていなくても良い。要するに、本発明では、露出部材２４即ち操作ノブ１５が孔１４内に没する際に、傾き規制部２６が、操作ノブ１５に支持部２１に当接して、当該操作ノブ１５の回転を規制すれば良い。【００５３】
前述した実施例では、電子機器として自動車に取り付けられるＡＶ機器１を示している。しかしながら、本発明では、ＡＶ機器１に限らず、種々の電子機器に適用しても良い。【００５４】
前述した実施例によれば、以下の支持構造１２が得られる。【００５５】
（付記）  鉛直方向に対して傾いて配置されるケース２の前面２ａから突出しかつ当該ケース２に対して変位自在に設けられた操作ノブ１５と、
前記操作ノブ１５を支持するスイッチ３７と、
前記スイッチを設置した印刷配線板３６と、
前記操作ノブ１５が前記前面２ａに向かって水平方向に押圧される力Ｆが予め定められた所定の力を超えると破断して前記操作ノブ１５が前記ケース２の前面２ａに没することを許容する脆弱部２２と、
前記脆弱部２２が破断した際に前記印刷配線板３６に当接して前記操作ノブ１５の傾きを規制する傾き規制部２６と、
を備えたことを特徴とする操作ノブの支持構造１２。【００５６】
付記によれば、脆弱部２２が破断すると印刷配線板３６に当接して操作ノブ１５の傾きを規制する傾き規制部２６を設けているので、脆弱部２２が破断すると、傾き規制部２６が印刷配線板３６に確実に当接して、操作ノブ１５が傾かなくなる。したがって、予め定められた所定の力が操作ノブ１５に作用すると確実に脆弱部２２が破断することになり、操作ノブ１５が部材本体３０から突出量が予め定められた値以下となるまで確実にケース２に没することになる。【００５７】
なお、前述した実施例は本発明の代表的な形態を示したに過ぎず、本発明は、実施例に限定されるものではない。即ち、本発明の骨子を逸脱しない範囲で種々変形して実施することができる。
【図１】
2009084115.tif 000003
【図２】
2009084115.tif 000004
【図３】
2009084115.tif 000005
【図４】
2009084115.tif 000006
【図５】
2009084115.tif 000007
【図６】
2009084115.tif 000008
【手続補正書】
【提出日】平成22年5月28日(2010.5.28)
【手続補正１】
【補正対象書類名】明細書
【補正対象項目名】全文
【補正方法】変更
【補正の内容】
【発明の詳細な説明】
【技術分野】
【０００１】
本発明は、例えば、ＡＶ機器などの各種の電子機器などの操作ノブの支持構造及び該操作ノブの支持構造を備えた電子機器に関する。
【背景技術】
【０００２】
例えば、自動車に搭載され、かつＣＤ（Compact Disk）などの光ディスクに記録された情報を読み出して再生するＡＶ機器などの電子機器には、欧州内突規制ＥＣＥ  Ｎｏ．２１内装部品の車両許可に関する統一規制に準拠することが求められている。
【０００３】
この規制は、自動車のインストルメントパネル（以下、インパネと呼ぶ）の表面や当該インパネに取り付けられる電子機器の本体部としての機器本体の前面（外表面に相当）からのスイッチなどの操作ノブの突出量が９．５ｍｍなどの予め定められた値以下であるか、前記操作ノブに対して自動車の前後方向（水平方向）に沿いかつ当該操作ノブを前述した表面や前面に対して押圧する例えば３８２Ｎなどの予め定められた力が作用した場合に、操作ノブが前記表面や前面に没する方向に変位して、当該操作ノブの前記表面や前面からの突出量が前述した９．５ｍｍなどの予め定められた値以下となることが求められている。
【０００４】
前述した規制を満足するために、従来から種々の操作ノブの支持構造１００（図１に示し、例えば、特許文献１参照）が用いられてきた。図１に例示された操作ノブの支持構造１００は、前述した電子機器の機器本体１０１に対して操作ノブ１０２を変位自在に支持する支持部１０３と、脆弱部１０４とを備えている。操作ノブ１０２は、ノブ本体１０５と、化粧板１０６とを備えている。
【０００５】
ノブ本体１０５は、それぞれが円筒状に形成されかつ互いに同軸に設けられた内筒１１２と外筒１１３とこれらの筒１１２，１１３同士を連結した円環状の連結部１１４とを一体に備えている。化粧板１０６は、円板状に設けられ、外筒１１３の機器本体１０１外に露出する側の端に取り付けられている。化粧板１０６は、内筒１１２の端と間隔をあけている。また、電子機器は、前述したインパネに取り付けられると、機器本体１０１の前面１０１ａがインパネの表面と平行になる。
【０００６】
支持部１０３は、前記機器本体１０１内に収容されかつ当該機器本体１０１の前面１０１ａと平行に固定された印刷配線板１０７と、当該印刷配線板１０７に実装されたスイッチ装置１０８とを備えている。スイッチ装置１０８は、印刷配線板１０７に固定されたスイッチ本体１０９と、このスイッチ本体１０９から突出しかつこのスイッチ本体１０９に対して回転する方向や突没する方向に変位自在に設けられた操作軸１１０とを備えている。操作軸１１０は、円柱状に形成され、前述した内筒１１２内に圧入されて、操作ノブ１０２が取り付けられている。このため、操作ノブ１０２は、操作軸１１０によりその軸芯回りに回転する方向や前面１０１ａに対して突没する方向に変位自在即ち機器本体１０１に対して変位自在となっている。また、操作ノブ１０２は、機器本体１０１の前面１０１ａに対して直交した格好となる。
【０００７】
脆弱部１０４は、操作ノブ１０２の化粧板１０６から間隔をあけ、かつ内筒１１２の化粧板１０６寄りの端から内周方向に突出した突部１１１を備えている。脆弱部１０４は、操作ノブ１０２に対して、前述した水平方向の予め定められた力が作用すると、突部１１１と内筒１１２の内周面との間が破断することで、操作ノブ１０２の機器本体１０１の前面１０１ａからの突出量を前述した予め定められた値以下とするようになっている。
【先行技術文献】
【特許文献】
【０００８】
【特許文献１】特開２００６−２１０２８８号公報
【発明の概要】
【発明が解決しようとする課題】
【０００９】
前述した自動車のインパネは、当該自動車のデザイン上の多種多様性により、前記表面が鉛直方向と平行ではなく、上方に向かうにしたがって自動車の前方に向かう方向に傾斜していることが多い。このように表面が傾斜したインパネに電子機器を取り付けると、勿論、電子機器の機器本体１０１の前面１０１ａも、前述したインパネの表面と平行になって傾いてしまう。すると、勿論、スイッチ装置１０８の操作軸１１０の長手方向も、自動車の前後方向（水平方向）に対して傾いてしまう。
【００１０】
このため、前述した方向の力を操作ノブ１０２に加えると、まず、操作軸１１０がスイッチ本体１０９に没した後に、図２に示すように、操作ノブ１０２の化粧板１０６の外表面が鉛直方向と平行になる方向に、当該操作ノブ１０２がスイッチ装置１０９に対して回転してしまう。この場合、脆弱部１０４に突部１１１が破断しても、特に、操作ノブ１０２の上端の前面１０１ａからの突出量が予め定められた値を越えてしまい、前述した規制を満足することができないことが考えられる。
【００１１】
したがって、本発明の目的は、例えば、表面が傾いたインパネに本体部が取り付けられた際に、予め定められた力が作用すると、脆弱部が破断して、操作ノブが本体部からの突出量が予め定められた以下まで確実に没することを可能とする操作ノブの支持構造及び該操作ノブの支持構造を備えた電子機器を提供することにある。
【課題を解決するための手段】
【００１２】
前述した課題を解決し目的を達成するために、請求項１に記載の本発明の操作ノブの支持構造は、鉛直方向に対して傾いて配置される本体部の外表面から突出しかつ当該本体部に対して変位自在に設けられた操作ノブと、前記操作ノブを支持する支持部材と、前記支持部材を設置した設置部材と、前記操作ノブが前記外表面に向かって水平方向に押圧される力が予め定められた所定の力を超えると破断して前記操作ノブが前記本体部の外表面に没することを許容する脆弱部と、前記脆弱部が破断した際に前記設置部材に当接して前記操作ノブの傾きを規制する傾き規制部と、を備え、前記設置部材が、前記本体部の外表面と平行な平坦面を備え、かつ、前記傾き規制部が、前記平坦面と平行でかつ前記脆弱部が破断すると当該平坦面上に密に重なる第２平坦面を備えていることを特徴としている。
【図面の簡単な説明】
【００１３】
【図１】従来の操作ノブの支持構造の断面図である。
【図２】図１に示された操作ノブに水平方向の押圧する力が作用した状態を示す断面図である。
【図３】本発明の一実施例にかかる操作ノブの支持構造を備えたＡＶ機器を示す斜視図である。
【図４】図３に示された操作ノブの支持構造の断面図である。
【図５】図４に示された操作ノブに水平方向の押圧する力が作用した状態を示す断面図である。
【図６】図５に示された操作ノブの支持構造の脆弱部が破断した状態を示す断面図である。
【発明を実施するための形態】
【００１４】
以下、本発明の一実施形態を説明する。本発明の一実施形態にかかる操作ノブの支持構造は、脆弱部が破断すると設置部材に当接して操作ノブが傾くことを規制する傾き規制部を設けているので、脆弱部が破断すると、傾き規制部が設置部材に確実に当接して、操作ノブが傾かなくなる。したがって、予め定められた所定の力が操作ノブに作用すると確実に脆弱部が破断することになり、操作ノブが本体部から突出量が予め定められた値以下となるまで確実に本体部に対して没することになる。
【００１５】
また、本発明では、傾き規制部が、設置部材の平坦面に密に重なる第２平坦面を備えていても良い。この場合、脆弱部が破断すると、平坦面と第２平坦面とが互いに密に重なるので、操作ノブが確実に傾くことを防止できる。
【００１６】
さらに、操作ノブが、支持部材としてのスイッチの操作軸の外周に取り付けられる取付部材と、取付部材に外周に取り付けられるとともに当該取付部材との間に脆弱部を設けた露出部材を備えても良い。このため、水平方向に沿いかつ外表面に向かう力が操作ノブの露出部材に作用して、当該露出部材が脆弱部を中心として傾こうとしても、この脆弱部と取付部材との間が大径となって露出部材を安定して保持するので、当該露出部材が傾くことを防止できる。したがって、露出部材即ち操作ノブが、本体部に対してより傾かなくなる。
【００１７】
また、取付部材が露出部材の内周面に係止する係止部を備えても良い。この場合、水平方向に沿いかつ外表面に向かう力が作用した操作ノブの露出部材が回転しないように係止部を介して取付部材が当該露出部材を支持することとなる。
【００１８】
さらに、本発明では、前述した操作ノブの支持構造を備えた電子機器としても良い。この場合、電子機器は、前述した操作ノブの支持構造を備えているので、脆弱部が、予め定められた所定の力が操作ノブに作用すると確実に破断することになり、操作ノブが本体部から突出量が予め定められた値以下となるまで確実に本体部に対して没することになる。
【実施例】
【００１９】
本発明の一実施例を、図３ないし図６に基づいて説明する。本発明の一実施例に係る電子機器としてのＡＶ（Audio-Visual）機器１は、移動体としての自動車のインストルメントパネル（図３中に二点鎖線で示し、以下、インパネと呼ぶ）Ｐなどに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。また、インパネＰの表面Ｐａは、上方に向かうにしたがって前記自動車の前方に向かうように、鉛直方向に対して傾いている。
【００２０】
ＡＶ機器１は、図３に示すように、本体部としてのケース２と、再生装置としてのＣＤ（Compact Disc）プレーヤ３と、再生装置としてのＭＤ（Mini disc）プレーヤ４と、ラジオ放送を受信するＡＭ／ＦＭチューナ５と、表示部６と、操作部７とを備えている。
【００２１】
ケース２は、合成樹脂で構成されたフロントパネル１８ａと、板金で構成されたケース本体１８ｂとを備えて、箱状に形成されている。ケース２は、ケース本体１８ｂの図３中手前側にフロントパネル１８ａが取り付けられた状態で、前述したインパネＰに取り付けられる。ケース２は、ケース本体１８ｂが前述したインパネＰに取り付けられて、フロントパネル１８ａが外部に露出しかつ乗員（使用者ともいう）に相対する。ケース２の図１中手前側に位置するフロントパネル１８ａの露出する外表面としての前面２ａは、ケース２がインパネＰに取り付けられると、当該インパネＰの表面Ｐａと平行になる。このため、前面２ａは、鉛直方向との角度が予め定められた状態で、当該鉛直方向に対して傾いて配置される。
【００２２】
また、フロントパネル１８ａの前面２ａには、ＣＤ用挿入口８と、ＭＤ用挿入口９と、操作部用孔１３とが開口している。
【００２３】
ＣＤ用挿入口８は、内側にＣＤを通して、該ＣＤをケース２即ちＣＤプレーヤ３に出し入れする。ＭＤ用挿入口９は、内側にＭＤを通して、該ＭＤをケース２即ちＭＤプレーヤ４に出し入れする。操作部用孔１３は、前記フロントパネル１８ａを貫通している。操作部用孔１３即ちフロントパネル１８ａは、操作部７の後述する操作ボタン１１を収容するとともに、前記前面２ａに対して直交する奥行き方向Ｙに沿って、当該操作ボタン１１を移動自在に支持する。
【００２４】
また、ケース２には、図４に示すように、孔１４と、構造固定部１６とが設けられている。孔１４は、前面２ａに開口し、かつ平面形状が丸形に形成されている。構造固定部１６は、内側筒部１９と、支持柱２０とを備えている。内側筒部１９は、円筒状に形成されかつ孔１４の内縁部からケース２の内側に向かって立設している。
【００２５】
支持柱２０は、内側筒部１９の外側でかつ当該内側筒部１９の図４中の上方と下方とのそれぞれに設けられているとともに、前面２ａからケース２の内側に向かって立設している。支持柱２０の前面２ａから離れた側の先端部には、後述する印刷配線板３６が固定される。
【００２６】
ＣＤプレーヤ３は、ケース２に挿入されたＣＤの情報を読み出して、音声として出力する。ＭＤプレーヤ４は、ケース２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する操作ボタン１１等を使用者が押圧することによって動作する。
【００２７】
表示部６は、前述したフロントパネル１８ａの前面２ａから露出しかつ当該フロントパネル１８ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。
【００２８】
操作部７は、複数の操作ボタン１１と、一つの操作ノブの支持構造（以下、単に支持構造と記し、図４乃至図６に示す）１２などを備えている。操作ボタン１１は、操作部用孔１３内に収容され、前記前面２ａに対して直交する方向に沿ってスライド自在に取り付けられたボタン本体と、ケース２内に設けられた図示しない印刷配線板に実装されたスイッチとを備えている。スイッチは、ボタン本体を前面２ａから突出する方向に付勢している。操作ボタン１１は、スイッチの付勢力に抗して、押圧操作されることで、前述したプレーヤ３，４及びチューナ５などを動作させる。
【００２９】
支持構造１２は、図４に示すように、前述したＡＶ機器１のケース２に対して変位自在に設けられた操作ノブ１５と、当該操作ノブ１５を変位自在に支持する支持部２１と、脆弱部２２と、を備えている。
【００３０】
操作ノブ１５は、図４に示すように、取付部材２３と、露出部材２４とを備えている。取付部材２３は、円筒状（即ち筒状）の部材本体２５と、傾き規制部２６と、係止部２７とを一体に備えている。
【００３１】
部材本体２５は、その内径が後述するスイッチ３７の操作軸４０の先端部の外径と略等しく形成されている。部材本体２５は、操作軸４０の先端部の外周に嵌合するなどして、当該操作軸４０の外周に取り付けられる。
【００３２】
傾き規制部２６は、部材本体２５の後述する印刷配線板３６側の端（ケース２の奥寄りの端）から当該印刷配線板３６に向かって延在している。図示例では、傾き規制部２６は、部材本体２５の全周に亘って設けられている。即ち、傾き規制部２６は、円筒状に形成されている。また、傾き規制部２６の印刷配線板３６と相対する端面２６ａは、平坦に形成され、かつスイッチ３７の操作軸４０が後述するスイッチ本体３９から突出した状態で印刷配線板３６の表面３６ａから間隔をあけかつ平行に形成されている。
【００３３】
なお、この操作軸４０がスイッチ本体３９から突出した状態における端面２６ａと印刷配線板３６の表面３６ａとの間隔は、スイッチ３７の操作軸４０がスイッチ本体３９から突没することを許容するとともに、脆弱部２２の後述する突部４１が破断した際に印刷配線板３６の表面３６ａに密に重なることができる間隔となっている。即ち、端面２６ａは、印刷配線板３６の表面３６ａに近接に配置されている。なお、この端面２６ａは、請求の範囲に記載された第２平坦面をなしている。
【００３４】
係止部２７は、傾き規制部２６の端面２６ａ寄りの先端からケース２の前面２ａ即ち印刷配線板３６から離れる方向に延在した係止部本体２８と、当該係止部本体２８の前面２ａ寄りの先端部に設けられた係止爪２９とを一体に備えている。
【００３５】
係止部本体２８は、傾き規制部２６の先端の全周に連なっている。即ち、係止部本体２８は、円筒状に形成されている。係止部本体２８は、傾き規制部２６からケース２の前面２ａに向かうにしたがって外周方向に延在している。係止爪２９は、係止部本体２８の前記先端部から内側筒部１９に向かって即ち外周方向に突に形成されて、露出部材２４の後述する係止爪３４と互いに係止する。即ち、係止部２７は、係止爪２９が係止爪３４に係止することで、露出部材２４の内周面に係止する。
【００３６】
露出部材２４は、有底筒状の部材本体３０と、内側支持筒３１とを一体に備えている。部材本体３０は、円板状の板部３２と、当該板部３２の外縁から立設した筒部３３とを一体に備えている。部材本体３０は、筒部３３の先端に当該筒部３３の内周面から突でかつ係止爪２９に係止する係止爪３４を設けている。
【００３７】
また、係止部２７の係止爪２９は、操作ノブ１５の露出部材２４に自動車の前後方向（水平方向）に沿って前面２ａに向かって押圧される力Ｆ（図５中に矢印で示す）が作用して、脆弱部２２の突部４１の図４中下方に位置する部分を中心として、露出部材２４が回転しよう（傾こう）としても、係止爪２９との係止が解除されない強度を有して形成されている。
【００３８】
内側支持筒３１は、円筒状に形成され、立設片３５を介して板部３２から立設している。内側支持筒３１は、板部３２と間隔をあけて設けられている。内側支持筒３１は、取付部材２３の部材本体２５の外周に嵌合するなどして、当該部材本体２５即ち取付部材２３に取り付けられる。
【００３９】
支持部２１は、ケース２内に収容され、設置部材としての印刷配線板３６と、当該印刷配線板３６に実装（設置）された支持部材としてのスイッチ３７とを備えている。
【００４０】
印刷配線板３６は、絶縁性の基板３８と、当該基板３８の表面上に形成された導体パターンとを備えている。印刷配線板３６は、その表面３６ａが前面２ａと平行な状態で、支持柱２０の先端に固定される。なお、印刷配線板３６の表面３６ａは、請求の範囲に記載された平坦面をなしている。
【００４１】
スイッチ３７は、印刷配線板３６に固定されたスイッチ本体３９と、このスイッチ本体３９から突出しかつこのスイッチ本体３９に対して回転する方向及び突没する方向に変位自在に設けられた操作軸４０とを備えている。操作軸４０は、円柱状に形成され、前述した取付部材２３の部材本体２５内に圧入されて、操作ノブ１５が取り付けられている。こうして、スイッチ３７は、操作ノブ１５を支持している。操作ノブ１５は、操作軸４０によりその軸芯回りに回転する方向と前面２ａに対して突没する方向に変位自在即ちケース２に対して変位自在に設けられているとともに、勿論、前面２ａから突出している。なお、操作ノブ１５の前面２ａからの突出量は、欧州内突規制ＥＣＥ  Ｎｏ．２１内装部品の車両許可に関する統一規制で定められた９．５ｍｍなどの予め定められた値よりも十分に大きな値となっている。さらに、操作ノブ１５の板部３２は、前記前面２ａなどと平行に配置されている。
【００４２】
脆弱部２２は、操作ノブ１５の露出部材２４の板部３２から間隔をあけ、内側支持筒３１の内周面から突出した突部４１を備えて、図示例では、操作ノブ１５の露出部材２４に一体に設けられている。突部４１は、取付部材２３の部材本体２５の先端面上に重ねられる。このように、突部４１が内側支持筒３１の内周面から突出して設けられて取付部材２３の部材本体２５の先端面上に重ねられることを、本発明では、脆弱部２２が、取付部材２３と露出部材２４との間に設けられているという。脆弱部２２は、操作ノブ１５に対して、自動車の前後方向（水平方向）に沿って前面２ａに向かって、予め定められた所定の力を超えた力（図５中に矢印Ｆで示す）が作用すると、突部４１と内側支持筒３１の内周面との間が破断する。そして、脆弱部２２は、傾き規制部２６の端面２６ａが印刷配線板３６の表面３６ａに密に重なり、取付部材２３が露出部材２４の板部３２に近接して、操作ノブ１５のケース２の前面２ａからの突出量を前述した予め定められた値以下となる位置まで、当該操作ノブ１５が孔１４即ちフロントパネル１８ａの前面２ａに没することを許容する。このように、脆弱部２２は、突部４１が破断することで、操作ノブ１５が孔１４内即ちフロントパネル１８ａの前面２ａに没することを許容する。
【００４３】
前述した支持構造１２は、スイッチ３７を実装した印刷配線板３６が支持柱２０に取り付けられて、組み立てられる。そして、操作ノブ１５が、スイッチ３７の操作軸４０に取り付けられる。すると、印刷配線板３６の表面３６ａがフロントパネル１８ａの前面２ａと平行になるとともに、スイッチ３７の操作軸４０の長手方向が前面２ａに対して直交した状態に配置されている。なお、このとき、脆弱部２２の突部４１が取付部材２３の部材本体２５の先端面に重なり、傾き規制部２６の端面２６ａが印刷配線板３６の表面３６ａと平行でかつ近接しながら間隔をあけて配置される。
【００４４】
支持構造１２は、操作ノブ１５が押圧されると、この押圧されたことをスイッチ３７が検出して、ＡＶ機器１全体の電源をオン・オフし、操作ノブ１５が軸芯回りに回転されると、この回転されたことをスイッチ３７が検出して、再生中又は受信中のプログラムの音量を調整するために用いられる。
【００４５】
そして、支持構造１２は、操作ノブ１５に、自動車の前後方向（水平方向）に沿って、当該操作ノブ１５をフロントパネル１８ａの前面２ａに向かって押圧される力Ｆ（図５中に矢印で示す）が作用すると、まず、図５に示すように、スイッチ３７の操作軸４０がスイッチ本体３９内に没する。そして、スイッチ３７の操作軸４０の先端部の外周に取付部材２３が嵌合し、かつ当該取付部材２３の外周に露出部材２４の内側支持筒３１が嵌合しているとともに、係止爪２９，３４が互いに係止しているので、露出部材２４即ち操作ノブ１５がケース２に対して傾くことなく、脆弱部２２の突部４１が内側支持筒３１の内周面から破断する。
【００４６】
そして、前述した力Ｆによって、取付部材２３の部材本体２５の外周面と露出部材２４の内側支持筒３１の内周面により案内されて、露出部材２４が孔１４内即ち前面２ａに没する方向に移動して、端面２６ａが印刷配線板３６の表面３６ａに密に重なる。これらの端面２６ａと表面３６ａとが互いに密に重なると、露出部材２４が確実にケース２に対して傾くことなく、取付部材２３の部材本体２５の外周面と露出部材２４の内側支持筒３１の内周面により案内されて、露出部材２４が孔１４内即ち前面２ａに没する方向に移動する。こうして、即ち、傾き規制部２６は、支持部２１の印刷配線板３６に当接して、操作ノブ１５の回転を規制する。そして、図６に示すように、勿論、操作ノブ１５の前面２ａからの突出量Ｔが、前述した所定の値を下回る。
【００４７】
本実施例によれば、脆弱部２２の突部４１が破断すると支持部２１の印刷配線板３６に当接して操作ノブ１５がケース２に対して傾くことを規制する傾き規制部２６を設けているので、脆弱部２２の突部４１が破断すると、傾き規制部２６が支持部２１に確実に当接して、操作ノブ１５が傾かなくなる。したがって、予め定められた所定の力が操作ノブ１５に作用すると確実に脆弱部２２が破断することになり、操作ノブ１５が部材本体３０から突出量が予め定められた値以下となるまで確実にケース２に没することになる。
【００４８】
また、傾き規制部２６が、支持部２１の印刷配線板３６の表面３６ａに密に重なる第２平坦面としての端面２６ａを備えている。このため、脆弱部２２の突部４１が破断すると、印刷配線板３６の表面３６ａと傾き規制部２６の端面２６ａとが互いに密に重なるので、操作ノブ１５が確実に傾くことを防止できる。
【００４９】
さらに、操作ノブ１５が、支持部２１のスイッチ３７の操作軸４０の外周に取り付けられる取付部材２３と、取付部材２３の外周に取り付けられるとともに当該取付部材２３との間に脆弱部２２を設けた露出部材２４とを備えている。このため、水平方向に沿いかつ前面２ａに向かう力Ｆが操作ノブ１５の露出部材２４に作用して、当該露出部材２４が脆弱部２２を中心として傾こうとしても、この脆弱部２２と取付部材２３との間が大径となって露出部材２４を安定して保持するので、当該露出部材２４が傾くことを防止できる。したがって、露出部材２４即ち操作ノブ１５が、ケース２に対してより傾かなくなる。
【００５０】
また、取付部材２３が露出部材２４の内周面に係止する係止部２７を備えている。このため、水平方向に沿いかつ前面２ａに向かう力が作用した操作ノブ１５の露出部材２４が回転しないように係止部２７を介して取付部材２３が当該露出部材２４を支持することとなる。したがって、露出部材２４即ち操作ノブ１５が、ケース２に対してより一層傾かなくなる。
【００５１】
さらに、ＡＶ機器１は、前述した操作ノブの支持構造１２を備えているので、予め定められた所定の力が操作ノブ１５に作用すると、脆弱部２２が確実に破断することになり、操作ノブ１５がフロントパネル１８ａから突出量Ｔが予め定められた値以下となるまで確実にフロントパネル１８ａに対して没することになる。
【００５２】
前述した実施例では、操作ノブ１５を取付部材２３と露出部材２４とで構成している。しかしながら、本発明では、操作ノブ１５を一つの物品で構成しても良い。また、前述した実施例では、傾き規制部２６に印刷配線板３６の表面３６ａと平行な端面２６ａを形成している。しかしながら、本発明では、傾き規制部２６は、印刷配線板３６の表面３６ａなどの支持部２１の表面と平行な平坦面を備えていなくても良い。要するに、本発明では、露出部材２４即ち操作ノブ１５が孔１４内に没する際に、傾き規制部２６が、操作ノブ１５に支持部２１に当接して、当該操作ノブ１５の回転を規制すれば良い。
【００５３】
前述した実施例では、電子機器として自動車に取り付けられるＡＶ機器１を示している。しかしながら、本発明では、ＡＶ機器１に限らず、種々の電子機器に適用しても良い。
【００５４】
前述した実施例によれば、以下の支持構造１２が得られる。
【００５５】
（付記）  鉛直方向に対して傾いて配置されるケース２の前面２ａから突出しかつ当該ケース２に対して変位自在に設けられた操作ノブ１５と、
前記操作ノブ１５を支持するスイッチ３７と、
前記スイッチを設置した印刷配線板３６と、
前記操作ノブ１５が前記前面２ａに向かって水平方向に押圧される力Ｆが予め定められた所定の力を超えると破断して前記操作ノブ１５が前記ケース２の前面２ａに没することを許容する脆弱部２２と、
前記脆弱部２２が破断した際に前記印刷配線板３６に当接して前記操作ノブ１５の傾きを規制する傾き規制部２６と、
を備えたことを特徴とする操作ノブの支持構造１２。
【００５６】
付記によれば、脆弱部２２が破断すると印刷配線板３６に当接して操作ノブ１５の傾きを規制する傾き規制部２６を設けているので、脆弱部２２が破断すると、傾き規制部２６が印刷配線板３６に確実に当接して、操作ノブ１５が傾かなくなる。したがって、予め定められた所定の力が操作ノブ１５に作用すると確実に脆弱部２２が破断することになり、操作ノブ１５が部材本体３０から突出量が予め定められた値以下となるまで確実にケース２に没することになる。
【００５７】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００５８】
１  ＡＶ機器（電子機器）
２  ケース（本体部）
２ａ  前面（外表面）
１２  操作ノブの支持構造
１５  操作ノブ
２２  脆弱部
２３  取付部材
２４  露出部材
２６  傾き規制部
２６ａ  端面（第２平坦面）
２７  係止部
３６  印刷配線板（設置部材）
３６ａ  表面（平坦面）
３７  スイッチ（支持部材）
３９  スイッチ本体
４０  操作軸
Ｆ  押圧される力
【手続補正２】
【補正対象書類名】特許請求の範囲
【補正対象項目名】全文
【補正方法】変更
【補正の内容】
【特許請求の範囲】
【請求項１】
鉛直方向に対して傾いて配置される本体部の外表面から突出しかつ当該本体部に対して変位自在に設けられた操作ノブと、
前記操作ノブを支持する支持部材と、
前記支持部材を設置した設置部材と、
前記操作ノブが前記外表面に向かって水平方向に押圧される力が予め定められた所定の力を超えると破断して前記操作ノブが前記本体部の外表面に没することを許容する脆弱部と、
前記脆弱部が破断した際に前記設置部材に当接して前記操作ノブの傾きを規制する傾き規制部と、を備え、
前記設置部材が、前記本体部の外表面と平行な平坦面を備え、かつ、
前記傾き規制部が、前記平坦面と平行でかつ前記脆弱部が破断すると当該平坦面上に密に重なる第２平坦面を備えていることを特徴とする操作ノブの支持構造。
【請求項２】
前記支持部材が、スイッチ本体と、当該スイッチ本体から突没自在に設けられた操作軸と、を有したスイッチであり、
前記操作ノブが、前記操作軸の外周に取り付けられる取付部材と、前記取付部材の外周に取り付けられて前記本体部外に露出するとともに当該取付部材との間に前記脆弱部を設けた露出部材と、を備えたことを特徴とする請求項１記載の操作ノブの支持構造。
【請求項３】
前記取付部材が、前記露出部材の内周面に係止する係止部を備えたことを特徴とする請求項２記載の操作ノブの支持構造。
【請求項４】
外表面が鉛直方向に対して傾いて配置され、かつ変位自在な操作ノブを前記外表面から突出して設けた本体部を備えた電子機器において、
前記操作ノブの支持構造として、請求項１乃至請求項３のうちいずれか一項に記載の操作ノブの支持構造を備えたことを特徴とする電子機器。
【国際調査報告】
2009084115.tif 000009
2009084115.tif 000010
2009084115.tif 000011
2009084115.tif 000012